(57)【要約】【課題】番組の映像情報から静止画データを作成することができ、かつ消費電力を抑えることができる映像表示装置を提供する。【解決手段】番組の映像情報及び番組配列情報を含む放送信号を受信するチューナ部１を備え、チューナ部１にて受信した放送信号に含まれる映像情報に基づいて番組の映像を表示する映像表示装置に、番組の映像が表示されていない状態で番組配列情報を取得するために、チューナ部１へ間欠的に給電を行うチューナ電源部１１と、番組配列情報を取得するために、チューナ部１に給電が行われている場合、チューナ部１にて受信した放送信号に含まれる映像情報に基づいて、静止画データを作成する静止画データ作成部７ｂと、静止画データ作成部７ｂにて作成した静止画データを記憶する記憶部８と、記憶部８が記憶している静止画データに基づいて静止画を表示する表示部９とを備える。【選択図】図１
2010136197.tif 000002
【特許請求の範囲】
【請求項１】
番組の映像情報及び非映像情報を含む放送信号を受信する受信手段を備え、該受信手段にて受信した放送信号に含まれる映像情報に基づいて番組の映像を表示する映像表示装置において、
番組の映像が表示されていない状態で前記非映像情報を取得するために、前記受信手段へ間欠的に給電を行う電源手段と、
前記非映像情報を取得するために、前記受信手段に給電が行われている場合、前記受信手段にて受信した放送信号に含まれる映像情報に基づいて、静止画データを作成する静止画データ作成手段と、
該静止画データ作成手段にて作成した静止画データを記憶する記憶手段と、
番組の映像の表示を停止している場合、該記憶手段が記憶している静止画データに基づいて静止画を表示する表示手段と
を備えることを特徴とする映像表示装置。
【請求項２】
前記静止画データに基づいて、該静止画データを構成する複数の画素夫々の輝度の度数分布を作成する度数分布作成手段と、
該度数分布作成手段にて作成された度数分布が所定の条件を満たすか否かを判定する判定手段と
を備え、
前記記憶手段は、
静止画データが前記所定の条件を満たすと判定された場合、該静止画データを記憶するようにしてある
ことを特徴とする請求項１に記載の映像表示装置。
【請求項３】
前記表示手段は、映像表示パネルと、該映像表示パネルを照明するバックライトとを備え、
前記記憶手段は、
静止画データと共に、前記度数分布作成手段が作成した度数分布を記憶するようにしてあり、
更に、前記記憶手段が記憶している度数分布に基づいて、前記バックライトの輝度を決定するバックライト輝度決定手段と、
該バックライト輝度決定手段にて決定した輝度で発光するように、前記バックライトの輝度を制御する手段と
を備えることを特徴とする請求項２に記載の映像表示装置。
【請求項４】
前記静止画データに基づいて、該静止画データを構成する複数の画素の最大輝度及び最小輝度の輝度差、並びに平均輝度を算出する手段と、
算出された輝度差が第１所定値以上であるか否かを判定する手段と、
算出された平均輝度が第２所定値以上であるか否かを判定する手段と
を備え、
前記記憶手段は、
静止画データの輝度差が第１所定値以上であり、平均輝度が第２所定値以上であると判定された場合、該静止画データを記憶するようにしてある
ことを特徴とする請求項１に記載の映像表示装置。
【請求項５】
前記表示手段は、映像表示パネルと、該映像表示パネルを照明するバックライトとを備え、
前記記憶手段は、
静止画データと共に、該静止画データの輝度差及び平均輝度を記憶するようにしてあり、
更に、前記記憶手段が記憶している輝度差及び平均輝度に基づいて、前記バックライトの輝度を決定するバックライト輝度決定手段と、
該バックライト輝度決定手段にて決定した輝度で発光するように、前記バックライトの輝度を制御する手段と
を備えることを特徴とする請求項４に記載の映像表示装置。
【請求項６】
前記バックライト輝度決定手段は、
前記輝度差及び平均輝度が大きい程、前記バックライトの輝度が低くなるように、該バックライトの輝度を決定するようにしてある
ことを特徴とする請求項５に記載の映像表示装置。
【請求項７】
前記非映像情報は、
番組の放送時刻及び種別に関する情報を含む番組配列情報である
ことを特徴とする請求項１から請求項６までのいずれか一項に記載の映像表示装置。
【請求項８】
表示すべき静止画の種別を受け付ける受付手段と、
前記受信手段にて受信した放送信号に含まれる番組の映像情報の種別が、前記受付手段にて受け付けた種別に含まれるか否かを判定する種別判定手段と
を備え、
前記記憶手段は、
映像情報の種別が、前記受付手段にて受け付けた種別に含まれると判定した場合、前記静止画データ作成手段にて作成された静止画データを記憶するようにしてある
ことを特徴とする請求項７に記載の映像表示装置。
【請求項９】
前記記憶手段は、
前記静止画データ作成手段にて作成された静止画データを複数記憶しており、
前記表示手段は、
前記記憶手段が記憶している複数の静止画データに基づいて、複数の静止画を順次表示する手段を備える
ことを特徴とする請求項１から請求項８までのいずれか一項に記載の映像表示装置。
【請求項１０】
番組の映像情報及び非映像情報を含む放送信号を受信する受信手段を備えた映像表示装置を用いて、放送信号に含まれる映像情報に基づいて番組の映像を表示する映像表示方法において、
番組の映像が表示されていない状態で前記非映像情報を取得するために、前記受信手段へ間欠的に給電を行うステップと、
前記非映像情報を取得するために、前記受信手段に給電が行われている場合、前記受信手段にて受信した放送信号に含まれる映像情報に基づいて、静止画データを作成するステップと、
作成した静止画データを記憶するステップと、
番組の映像の表示を停止している場合、記憶している静止画データを表示するステップと
を有することを特徴とする映像表示方法。
【発明の詳細な説明】
【技術分野】
【０００１】
本発明は、放送信号に係る映像を表示する映像表示装置に関し、特に静止画を壁掛け絵画、写真のように表示する機能を備えた映像表示装置及び映像表示方法に関する。
【背景技術】
【０００２】
近年、壁掛けタイプの映像表示装置が実用化されている。非特許文献１には、放送信号に基づく映像表示を停止している場合に、予め記憶した静止画、又はＵＳＢ（Universal Serial Bus）から取り込んだ静止画を順次表示する機能を備えた映像表示装置が開示されている。非特許文献１によれば、映像表示の停止時に、黒色の大型表示画面で壁面が覆われるようなことはない。このため、部屋の雰囲気が損なわれる虞は無く、絵画、写真等の静止画によって部屋の雰囲気を明るくすることが可能になる。
【０００３】
一方、ＥＰＧ（Electric Program Guide）情報を利用したスクリーンセイバー機能を有する映像表示装置が開示されている（例えば、特許文献１参照）。特許文献１に係る映像表示装置は、一定時間毎にチャンネルを切り替えて各チャンネルのＥＰＧ情報を取得し、取得したＥＰＧ情報を用いて、スクリーンセイバー用の映像を作成し、表示するように構成されている。
特許文献１によれば、映像表示装置の画面の焼き付きを抑制することができるのみならず、ＥＰＧ情報を表示することで、使用者に対して現在視聴可能な番組の情報を提供することが可能になる。また、使用者がスクリーンセイバー用の映像データを別途用意しなくても、スクリーンセイバー用の新たな映像を自動で作成することができる。
【特許文献１】特開２００６−４１５８８号公報
【非特許文献１】［ｏｎｌｉｎｅ］、平成２０年４月９日、ソニー株式会社、［平成２０年１１月２６日検索］、インターネット＜ＵＲＬ：http://www.sony-europe.com/pressrelease/id/1207064686203＞
【発明の開示】
【発明が解決しようとする課題】
【０００４】
しかしながら、非特許文献１に係る映像表示装置においては、使用者の嗜好に応じた任意の静止画のデータをユーザーが用意しなくてはならないという問題があった。映像表示装置を情報端末として考えた場合、放送信号から取得できる新規の情報を十分に活用できていないと言える。
また、特許文献１に係る映像表示装置によれば、スクリーンセイバー機能が起動している間、一定時間毎にチャンネルを切り替え、その都度、チューナ、信号処理回路を動作させなければならず、低消費電力化を図ることができないという問題がある。
【０００５】
本発明は斯かる事情に鑑みてなされたものであり、放送信号に基づく映像表示を停止している状態で定期的に行われる番組配列情報取得時に、番組の映像情報を受信し、該映像情報に基づいて、静止画データの作成を行うことにより、消費電力を抑えつつ、番組の映像情報から静止画データを作成し、該静止画データに基づく静止画を表示することができる映像表示装置及び映像表示方法を提供することを目的とする。
【課題を解決するための手段】
【０００６】
本発明に係る映像表示装置は、番組の映像情報及び非映像情報を含む放送信号を受信する受信手段を備え、該受信手段にて受信した放送信号に含まれる映像情報に基づいて番組の映像を表示する映像表示装置において、番組の映像が表示されていない状態で前記非映像情報を取得するために、前記受信手段へ間欠的に給電を行う電源手段と、前記非映像情報を取得するために、前記受信手段に給電が行われている場合、前記受信手段にて受信した放送信号に含まれる映像情報に基づいて、静止画データを作成する静止画データ作成手段と、該静止画データ作成手段にて作成した静止画データを記憶する記憶手段と、番組の映像の表示を停止している場合、該記憶手段が記憶している静止画データに基づいて静止画を表示する表示手段とを備えることを特徴とする。
【０００７】
本発明に係る映像表示装置は、前記静止画データに基づいて、該静止画データを構成する複数の画素夫々の輝度の度数分布を作成する度数分布作成手段と、該度数分布作成手段にて作成された度数分布が所定の条件を満たすか否かを判定する判定手段とを備え、前記記憶手段は、静止画データが前記所定の条件を満たすと判定された場合、該静止画データを記憶するようにしてあることを特徴とする。
【０００８】
本発明に係る映像表示装置は、前記表示手段は、映像表示パネルと、該映像表示パネルを照明するバックライトとを備え、前記記憶手段は、静止画データと共に、前記度数分布作成手段が作成した度数分布を記憶するようにしてあり、更に、前記記憶手段が記憶している度数分布に基づいて、前記バックライトの輝度を決定するバックライト輝度決定手段と、該バックライト輝度決定手段にて決定した輝度で発光するように、前記バックライトの輝度を制御する手段とを備えることを特徴とする。
【０００９】
本発明に係る映像表示装置は、前記静止画データに基づいて、該静止画データを構成する複数の画素の最大輝度及び最小輝度の輝度差、並びに平均輝度を算出する手段と、算出された輝度差が第１所定値以上であるか否かを判定する手段と、算出された平均輝度が第２所定値以上であるか否かを判定する手段とを備え、前記記憶手段は、静止画データの輝度差が第１所定値以上であり、平均輝度が第２所定値以上であると判定された場合、該静止画データを記憶するようにしてあることを特徴とする。
【００１０】
本発明に係る映像表示装置は、前記表示手段は、映像表示パネルと、該映像表示パネルを照明するバックライトとを備え、前記記憶手段は、静止画データと共に、該静止画データの輝度差及び平均輝度を記憶するようにしてあり、更に、前記記憶手段が記憶している輝度差及び平均輝度に基づいて、前記バックライトの輝度を決定するバックライト輝度決定手段と、該バックライト輝度決定手段にて決定した輝度で発光するように、前記バックライトの輝度を制御する手段とを備えることを特徴とする。
【００１１】
本発明に係る映像表示装置は、前記バックライト輝度決定手段は、前記輝度差及び平均輝度が大きい程、前記バックライトの輝度が低くなるように、該バックライトの輝度を決定するようにしてあることを特徴とする。
【００１２】
本発明に係る映像表示装置は、前記非映像情報は、番組の放送時刻及び種別に関する情報を含む番組配列情報であることを特徴とする。
【００１３】
本発明に係る映像表示装置は、表示すべき静止画の種別を受け付ける受付手段と、前記受信手段にて受信した放送信号に含まれる番組の映像情報の種別が、前記受付手段にて受け付けた種別に含まれるか否かを判定する種別判定手段とを備え、前記記憶手段は、映像情報の種別が、前記受付手段にて受け付けた種別に含まれると判定した場合、前記静止画データ作成手段にて作成された静止画データを記憶するようにしてあることを特徴とする。
【００１４】
本発明に係る映像表示装置は、前記記憶手段は、前記静止画データ作成手段にて作成された静止画データを複数記憶しており、前記表示手段は、前記記憶手段が記憶している複数の静止画データに基づいて、複数の静止画を順次表示する手段を備えることを特徴とする。
【００１５】
本発明に係る映像表示方法は、番組の映像情報及び非映像情報を含む放送信号を受信する受信手段を備えた映像表示装置を用いて、放送信号に含まれる映像情報に基づいて番組の映像を表示する映像表示方法において、番組の映像が表示されていない状態で前記非映像情報を取得するために、前記受信手段へ間欠的に給電を行うステップと、前記非映像情報を取得するために、前記受信手段に給電が行われている場合、前記受信手段にて受信した放送信号に含まれる映像情報に基づいて、静止画データを作成するステップと、作成した静止画データを記憶するステップと、番組の映像の表示を停止している場合、記憶している静止画データを表示するステップとを有することを特徴とする。
【００１６】
本発明にあっては、番組の映像が表示されていない状態、いわゆるスタンバイ状態であっても、非映像情報を取得するために、受信手段に給電が行われることがある。静止画データ作成手段は、番組の映像が表示されていない状態で受信手段に給電が行われているときに、放送信号に含まれる映像情報に基づいて、静止画データを作成する。作成された静止画データは、記憶手段に記憶される。そして、表示手段は、記憶手段が記憶している静止画データに基づいて、静止画を表示する。
従って、静止画データを作成するためにのみ受信手段に給電を行う構成に比べ、省電力化を図ることができる。また、番組の映像情報に基づいて、静止画データを作成することができる。
【００１７】
本発明にあっては、静止画データを構成する複数の画素夫々の輝度の度数分布を作成し、作成された度数分布が所定の条件を満たすか否かを判定する。度数分布が所定の条件を満たすか否かを判定することによって、静止画表示時の省電力に寄与する静止画データと、省電力に寄与しない静止画データとを判別することが可能になる。記憶手段は、静止画データが前記所定の条件を満たすと判定された場合、該静止画データを記憶する。従って、省電力化を図ることができる静止画データを記憶し、該静止画データに係る静止画を表示することが可能になる。
【００１８】
本発明にあっては、記憶手段は、静止画データと共に、該静止画データに係る輝度の度数分布を記憶する。そして、輝度の度数分布に基づいて、バックライトの輝度を決定し、決定した輝度でバックライトが発光するように制御する。従って、静止画データを構成する画素の輝度に応じて、バックライトの輝度を高低させることができ、更なる省電力化を図ることが可能になる。
【００１９】
本発明にあっては、静止画データを構成する複数の画素夫々の最大輝度及び最小輝度の輝度差と、平均輝度とを算出する。そして、輝度差が第１所定値以上であるか否かを判定する。同様に平均輝度が第２所定値以上であるか否かを判定する。輝度差が第１所定値以上であり、かつ平均輝度が第２所定値以上である場合、つまり静止画表示時の省電力に寄与する静止画データであると判定した場合、記憶手段は、該静止画データを記憶する。従って、省電力化を図ることができる静止画データを記憶し、該静止画データに係る静止画を表示することが可能になる。
なお、本発明における最大輝度及び最小輝度は、広義の意味で解釈すべきであり、例えば静止画データを構成する全画素の最大階調値側１０％タイル値を最大輝度として採用し、最小階調値側１０％タイル値を最小輝度として採用しても良い。
【００２０】
本発明にあっては、記憶手段は、静止画データと共に、該静止画データに係る前記輝度差及び平均輝度を記憶する。そして、輝度差及び平均輝度に基づいて、バックライトの輝度を決定する。従って、静止画データを構成する画素の輝度に応じて、バックライトの輝度を高低させることができ、更なる省電力化を図ることが可能になる。
【００２１】
本発明にあっては、輝度差及び平均値が大きい程、前記バックライトの輝度が低くなるように、該バックライトの輝度を決定する。輝度差が大きい場合、つまり静止画のコントラストが大きい場合、コントラストが低い場合に比べて、バックライトの輝度を低く設定することが可能になる。また、平均輝度が大きい場合、平均輝度が小さい場合に比べて、バックライトの輝度を低く設定することが可能になる。従って、省電力化を図ることが可能になる。
【００２２】
本発明にあっては、番組の映像が表示されていない状態で、番組配列情報を取得するために、受信手段に給電が行われることがあり、該給電時に静止画データを作成する。
【００２３】
本発明にあっては、表示すべき静止画の種別を受け付ける。つまり、使用者の嗜好に関する種別を受け付ける。静止画データを作成する際に、受信した放送信号に含まれる映像情報の種別が、受け付けた前記種別に含まれる場合、静止画データが記憶手段に記憶される。なお、映像情報の種別は、番組配列情報によって特定される。
従って、使用者の嗜好にあった静止画データを記憶手段に記憶させ、表示することが可能になる。
【００２４】
本発明にあっては、記憶手段は複数の静止画データを記憶し、複数の静止画データに基づいて、異なる複数の静止画を順次表示する。
従って、画面の焼き付きを抑制することが可能になる。
【発明の効果】
【００２５】
本発明によれば、消費電力を抑えつつ、番組の映像情報から静止画データを作成し、該静止画データに基づく静止画を表示することができる。
【発明を実施するための最良の形態】
【００２６】
以下、本発明をその実施の形態を示す図面に基づいて詳述する。
（実施の形態１）
図１は、本発明の実施の形態１に係る映像表示装置の構成を示すブロック図である。本実施の形態１に係る映像表示装置は、番組非表示状態において、静止画を壁掛け絵画、写真のように表示する機能を備えており、特に消費電力を抑えつつ、番組のビデオデータから静止画データを作成し、該静止画データに基づく静止画を表示することを可能にしたものである。
図中１は、アンテナＡで受信した地上デジタル放送、デジタル衛星放送、又はアナログ放送に係るＲＦ信号を増幅し、特定チャンネルの信号を選択するチューナ部（受信手段）であり、チューナ部１は、選択した信号を復調部２に与える。
【００２７】
チューナ部１から与えられた信号は、ＯＦＤＭ（Orthogonal Frequency Division Multiplexing）方式で変調されており、復調部２は、前記信号を、ＭＰＥＧ２ＴＳ（Transport Stream）形式のストリームデータに復調し、復調したストリームデータを分離部３に与える。
【００２８】
ＴＳ形式のストリームデータは、複数のパケットから構成されている。パケットは、番組の映像及び音声を構成する時系列順のビデオデータ（映像情報）及び音声データ、並びに番組配列情報等をパケット化したものであり、複数のパケットから、時系列順のビデオデータ及び音声データ、並びに番組配列情報が復元される。該番組配列情報は、番組の放送時刻及び種別に関する情報を含み、いわゆる非映像情報に該当し、実施の形態２においても同様のものである。
【００２９】
分離部３は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部３から与えられたビデオデータ及び音声データを夫々所定のタイミングでビデオデコーダ４及び音声デコーダ６に与える。また、分離部３は、ストリームデータから、番組配列情報に係るパケットを選択し、選択したパケットからなる番組配列情報をＥＰＧデコーダ５に与える。
【００３０】
ビデオデコーダ４は、ビデオバッファから与えられたビデオデータを、ＭＰＥＧ２の圧縮伸張方式に従って復調し、復調したビデオデータをバッファメモリを介して信号処理部７に与える。
【００３１】
音声デコーダ６は、音声バッファから与えられた音声データを、所定の圧縮伸張方式、例えばＡＡＣ（Advanced Audio Coding）の圧縮伸張方式に従って復調し、復調した音声データを、所定のタイミングでスピーカ１０に与える。
【００３２】
ＥＰＧデコーダ５は、分離部３から与えられた番組配列情報を復調し、復調された番組配列情報を信号処理部７に与える。
【００３３】
信号処理部７は、ビデオデコーダ４からバッファメモリを介して与えられたビデオデータに特定の処理を施し、処理されたビデオデータを表示部（表示手段）９に与える。また信号処理部７は、番組配列情報に基づいて、電子番組表を作成するＥＰＧ処理部７ａと、ビデオデータに基づいて、静止画データを作成する静止画データ作成部（静止画データ作成手段）７ｂとを備える。静止画データ作成部７ｂによって作成される静止画データは、壁掛け絵画、写真のように静止画を表示するために必要なデータである。なお、静止画の内容は特に限定されず、必ずしも絵画、写真映像である必要はない。更に、信号処理部７は、静止画データを構成する複数の画素夫々の輝度の度数分布を作成する度数分布作成部（度数分布作成手段）７ｃを備える。
【００３４】
信号処理部７には、不揮発性の記憶部（記憶手段）８が設けられている。記憶部８は、静止画データ作成部７ｂにて作成された静止画データ、度数分布作成部７ｃにて作成された度数分布を記憶する。
【００３５】
表示部９は、映像を表示する映像表示パネル９ａ、例えば液晶パネルと、パネル駆動部と、映像表示パネル９ａを背面側から照明するバックライト９ｂとを備えており、信号処理部７から与えられたビデオデータに基づいて、映像を表示する。
スピーカ１０は、音声デコーダ６から与えられた音声データに基づいて、音声を出力する。
【００３６】
また、映像表示装置は、チューナ電源部（電源手段）１１及び主電源部１２と、各電源部の動作を制御する電源処理部１３とを備える。チューナ電源部１１は、破線Ｂで囲まれた各構成部、即ちチューナ部１、復調部２、分離部３、ビデオデコーダ４、ＥＰＧデコーダ５及び音声デコーダ６に電力を供給する。主電源部１２は、破線Ｃで囲まれた各構成部、即ち信号処理部７、記憶部８、表示部９、スピーカ１０に電力を供給する。
電源処理部１３は、表示部９に番組の映像を表示する場合、破線Ｂ及びＣで囲まれた各構成部に電力が供給され、番組映像の表示が停止された場合、破線Ｃで囲まれた各構成部に電力が供給されるように、チューナ電源部１１及び主電源部１２の動作を処理する。なお、破線Ｄで囲まれた構成中、破線Ｃで囲まれた部分を除いた各構成部には、制御用の電力が別途供給されている。
【００３７】
更に、映像表示装置は、各構成部の動作を制御する制御部１４を備える。制御部１４は、ＣＰＵ、ＲＯＭ、ＲＡＭ等を備えたマイクロコンピュータからなり、各種ハードウェアに制御信号を与えて各構成部の動作を制御する。また、制御部１４には、計時部１７と、静止画の度数分布に応じてバックライト９ｂの輝度を制御するためのバックライト輝度制御テーブル１８とが設けられている。バックライト輝度制御テーブル１８の詳細は後述する。更に、制御部１４には、遠隔操作装置１５（受付手段）から送信される赤外光の遠隔操作信号を受信する遠隔操作信号受信部１６（受付手段）が設けられている。遠隔操作装置１５は、例えば赤外線方式、Ｂｌｕｅｔｏｏｔｈ（登録商標）又はＲＦ方式であり、電源キー１５ａ、いわゆるスタンバイモードにおいて静止画表示モードを使用するか否かを指定するためのピクチャーキー１５ｂ、終了キー１５ｃ、送信部（図示せず）等を備え、該送信部は、各キーの操作に応じた遠隔操作信号を送信するように構成してある。
【００３８】
図２は、使用者が所望する静止画のジャンル指定に係る制御部１４の処理手順を示すフローチャートである。制御部１４は、記憶部８から番組配列情報を読み出し（ステップＳ１）、読み出した番組配列情報に基づいて、電子番組表を作成する（ステップＳ２）。そして、制御部１４は、作成した電子番組表のデータを表示部９に与えることによって、電子番組表を表示部９に表示させる（ステップＳ３）。
【００３９】
次いで、制御部１４は、使用者が所望する静止画のジャンルを、遠隔操作装置１５及び遠隔操作信号受信部１６を介して受け付ける（ステップＳ４）。そして、制御部１４は、受け付けたジャンルを記憶部８に記憶させ（ステップＳ５）、ジャンル指定に係る処理を終える。なお、上述のジャンル指定方法は、一例であり、他の処理手順でジャンルを受け付けるように構成しても良い。
【００４０】
図３乃至図５は、静止画データの作成に係る制御部１４の処理手順を示すフローチャートである。番組の映像が表示されていない状態でいわゆるスタンバイ状態に移行した場合、又はスタンバイ状態移行後において定期的に行われる番組配列情報の取得動作時に、制御部１４は、チューナ電源部１１をオンにし（ステップＳ１１）、主電源部１２をオンにする（ステップＳ１２）。
【００４１】
そして、制御部１４は、番組配列情報を取得すべく、チューナ部１の動作を制御することによって、一のチャンネルを選局する（ステップＳ１３）。次いで、制御部１４は、ステップＳ１３で選局されたチャンネルの信号を受信し（ステップＳ１４）、受信した信号を復調部２にて復調する（ステップＳ１５）。
【００４２】
次いで、制御部１４は、復調されたＭＰＥＧ２ＴＳ形式のストリームデータを、分離部３によって、ビデオデータ、番組配列情報及び音声データに分離し、分離された各データをビデオデコーダ４、ＥＰＧデコーダ５及び音声デコーダ６によって復号化する（ステップＳ１６）。そして、制御部１４は、信号処理部７に番組配列情報を取得させ（ステップＳ１７）、該番組配列情報に基づいて電子番組表データを作成させる（ステップＳ１８）。
【００４３】
次いで、制御部１４は、現在選局されている番組のジャンルが、指定ジャンルであるか否かを判定する（ステップＳ１９）。つまり、現在選局されている番組のジャンルが、ステップＳ１〜５の処理で受け付けて記憶したジャンルに含まれるか否かを判定する。あるいは、ジャンルが一致するか否かを判定するようにしても良い。指定ジャンルであると判定した場合、（ステップＳ１９：ＹＥＳ）、制御部１４は、ビデオデータを信号処理部７に取得させ、取得したビデオデータに基づいて静止画データを作成させる（ステップＳ２０）。
【００４４】
ステップＳ２０の処理を終えた制御部１４は、信号処理部７の度数分布作成部７ｃに、ステップＳ２０で作成した静止画データに基づいて、該静止画を構成する各画素の輝度の度数分布を作成させる（ステップＳ２１）。
【００４５】
図６は、静止画を構成する各画素の輝度の度数分布である。横軸は輝度を示し、縦軸は各輝度の度数を示している。該度数分布は、省電力化の可否を判定するための情報として用いられる。
【００４６】
次いで、制御部１４は、ステップＳ２１で作成した度数分布に基づいて、静止画データを構成する各画素の最大輝度及び最小輝度の輝度差、並びに平均輝度を算出する（ステップＳ２２）。そして、制御部１４は、算出された輝度差が第１所定値以上であるか否かを判定する（ステップＳ２３）。
【００４７】
輝度差は、最大輝度をＹｍａｘ、最小輝度をＹｍｉｎ、輝度の階調数をＮとした場合、下記式（１）で表される。
輝度差（％）＝  （Ｙｍａｘ−Ｙｍｉｎ）／Ｎ×１００・・・（１）
【００４８】
好ましくは、最大輝度は、静止画を構成する全画素の最大階調値側１０％タイル値である。即ち、最大輝度は、輝度の最大階調値から最小階調値に向かって度数を累積し、該累積によって得られる累積度数が所定のしきい値、例えば、静止画データを構成する全画素の１０％にあたる値よりも初めて大きくなる階調値とする。
また、好ましくは、最小輝度は、静止画を構成する全画素の最小階調値側１０％タイル値である。即ち、輝度の最小階調値から最大階調値に向かって度数を累積し、それによって得られる累積度数が所定のしきい値、例えば、静止画データを構成する全画素数の１０％にあたる値よりも初めて大きくなる輝度とする。
【００４９】
第１所定値は、例えば６０％である。より具体的には、階調数Ｎが２５６である場合、最大輝度と、最小輝度との輝度差が１５４階調以上である場合、第１所定値以上であると判定される。
【００５０】
輝度差が第１所定値未満であると判定した場合（ステップＳ２３：ＮＯ）、制御部１４は処理をステップＳ２０へ戻す。輝度差が第１所定値以上であると判定した場合（ステップＳ２３：ＹＥＳ）、ステップＳ２２で算出された平均輝度が第２所定値、例えば６０％以上であるか否かを判定する（ステップＳ２４）。
【００５１】
平均輝度は、静止画データを構成する画素の輝度の階調値をＹｉ、該階調値を有する画素数をｎＹｉとした場合、下記式（２）で表される。
平均輝度（％）＝（Σ（Ｙｉ×ｎＹｉ）／ΣｎＹｉ）／階調数×  １００・・・（２）
【００５２】
第２所定値未満であると判定した場合（ステップＳ２４：ＮＯ）、制御部１４は処理をステップＳ２０へ戻す。第２所定値以上であると判定した場合（ステップＳ２４：ＹＥＳ）、制御部１４は、ステップＳ２０で作成した静止画データ及びステップＳ２１で作成した度数分布を記憶部８に記憶させる（ステップＳ２５）。なお、度数分布に代えて、ステップＳ２２で算出した輝度差及び平均輝度を記憶部８に記憶させても良い。
【００５３】
ステップＳ２５の処理を終えた場合、又はステップＳ１９で指定ジャンルではないと判定した場合（ステップＳ１９：ＮＯ）、制御部１４は、電子番組表に表示すべき全チャンネルを選択したか否かを判定する（ステップＳ２６）。選択していないチャンネルがあると判定した場合（ステップＳ２６：ＮＯ）、制御部１４は、処理をステップＳ１３へ戻す。
【００５４】
全チャンネルを選択したと判定した場合（ステップＳ２６：ＹＥＳ）、制御部１４は、チューナ電源部１１を切状態に制御し（ステップＳ２７）、記憶部８が記憶している静止画データに基づいて、静止画を表示部９に表示させる（ステップＳ２８）。
【００５５】
ステップＳ２８の処理を終えた制御部１４は、静止画表示モードを終了するか否かを判定する（ステップＳ２９）。静止画表示モードを終了すると判定した場合（ステップＳ２９：ＹＥＳ）、制御部１４は、処理を終える。静止画表示モードを終了しないと判定した場合（ステップＳ２９：ＮＯ）、制御部１４は、電子番組表を更新するか否かを判定する（ステップＳ３０）。電子番組表を更新すると判定した場合（ステップＳ３０：ＹＥＳ）、制御部１４は、処理をステップＳ１１へ戻す。電子番組表を更新しないと判定した場合（ステップＳ３０：ＮＯ）、制御部１４は、処理をステップＳ２８へ戻す。
【００５６】
図７は、バックライト９ｂの輝度制御に係る制御部１４の処理手順を示すフローチャートである。表示部９に静止画が表示されている場合、制御部１４は、バックライト９ｂの輝度制御に係る以下の処理を実行する。制御部１４は、表示部９に表示されている静止画データの度数分布を、記憶部８から読み出し（ステップＳ５１）、読み出した度数分布に基づいて、該静止画データを構成する各画素の平均輝度を算出する（ステップＳ５２）。なお、度数分布に代えて、記憶部８が輝度差及び平均輝度を記憶している場合、ステップＳ５１及びステップＳ５２の処理に代えて、制御部１４は、記憶部８から輝度差及び平均値を読み出す処理を実行すれば良い。
次いで、制御部１４は、前記静止画データに基づいて、輝度差を算出する（ステップＳ５３）。次いで、制御部１４は、バックライト輝度制御テーブル１８を読み出す（ステップＳ５４）。
【００５７】
図８は、平均輝度及び輝度差によるバックライト輝度制御方法を示す図表である。バックライト輝度制御テーブル１８の行は、静止画データの最大輝度及び最小輝度の輝度差によって区分され、列は静止画データの平均輝度によって区分されており、輝度差及び平均輝度の組み合わせに応じて制御すべきバックライト９ｂの輝度が格納されている。
静止画データの平均輝度が高い程、バックライト９ｂの輝度をより大きく低下させても、使用者は、該静止画データに係る静止画を認識することができる。
また、静止画データの最大輝度及び最小輝度の輝度差が大きい程、つまり、コントラストが高い程、バックライト９ｂの輝度をより大きく低下させても、使用者は、該静止画データに係る静止画を認識することができる。
従って、静止画データの平均値及び輝度差が大きい程、バックライト９ｂの輝度を低く設定してある。
【００５８】
図８に示すバックライト輝度制御テーブル１８によれば、５０％までバックライト９ｂの輝度を低下させることが可能になる。例えば、消費電力２００Ｗの映像表示装置の場合、消費電力は概ねバックライト９ｂの輝度が１００％である場合、消費電力が２００Ｗ、バックライト９ｂの輝度が５０％である場合、消費電力が１５０Ｗ、バックライト９ｂの輝度が２０％である場合、消費電力は１００Ｗとなる。一日に４時間、映像表示装置の静止画表示モードを使用した場合、バックライト９ｂの輝度が１００％であるとき、２００Ｗ×４．５時間×３６５日×２２円＝３２８．５ｋＷｈ×２２円＝７２２７円となるが、バックライト９ｂの輝度が５０％になれば、４分の１で済む。
【００５９】
ステップＳ５２で算出した平均輝度及び輝度差、並びにバックライト輝度制御テーブル１８に基づいて、バックライト９ｂの輝度を決定する（ステップＳ５５）。そして、制御部１４は、ステップＳ５５で決定した輝度でバックライト９ｂを発光させ（ステップＳ５６）、処理を終える。
【００６０】
このように構成された実施の形態１に係る映像表示装置にあっては、いわゆるスタンバイ状態において定期的に行われる番組配列情報の取得動作時に、任意のジャンルの静止画データを作成し、記憶するように構成されているため、消費電力を抑えつつ、番組のビデオデータから静止画データを作成し、該静止画データに基づく静止画を表示することができる。つまり、静止画データを作成するためにのみ、チューナ部１、復調部２、及び各種デコーダ４，５，６へ給電を行うようなことがないため、省電力を図ることができる。
なお、実施の形態１では、番組配列情報の取得時に、静止画データを作成するように構成してあるが、番組の視聴に悪影響を与えるおそれがない期間に静止画データを作成する構成であれば、静止画データを作成する時期は、番組配列情報の取得時に限定されない。例えば、映像表示装置のファームフェアのバージョンアップのためのダウンロード時に静止画データを作成し、記憶するように構成しても良い。
【００６１】
また、静止画データの輝度の度数分布が所定の条件、即ち最大輝度及び最小輝度の輝度差、並びに平均輝度が夫々第１所定値及び第２所定値以上である場合にのみ、前記静止画データを記憶するように構成してあるため、静止画表示における更なる省電力化を図ることができる。
なお、輝度差及び平均輝度を用いた静止画データの選別は一例であり、輝度に関する他の統計量に基づいて、記憶すべき静止画データを選択するように構成しても良い。
【００６２】
更に、静止画データの輝度差及び平均輝度が高いほど、バックライト９ｂの輝度を高く、つまり、輝度差及び平均輝度が低いほど、バックライト９ｂの輝度が低くなるように構成してあるため、静止画表示における更なる省電力化を図ることができる。
なお、輝度差及び平均輝度を用いてバックライト９ｂの輝度を制御する例を説明したが、静止画を構成する各画素の輝度に関する他の統計量に基づいて、バックライト９ｂの輝度を制御しても良い。
【００６３】
更にまた、静止画データを表示する際、チューナ電源部１１を停止させているため、破線Ｂで囲んだ各構成部、即ち静止画データの表示に関連しないチューナ部１、復調部２、分離部３、各種デコーダ４，５，６の消費電力を削減することができ、更なる省電力化を図ることができる。なお、静止画データを表示する際に、チューナ電源部１１を停止させることによって、約３Ｗの省電力化を図ることができる。
【００６４】
更にまた、ジャンルの指定を受け付け、該ジャンルの指定に一致した番組のビデオデータに基づいて、静止画データを作成し、表示するように構成してあるため、使用者の嗜好にあった静止画データを記憶部８に記憶させ、番組の情報を使用者への提示情報として活用することができる。例えば、ジャンルとしてニュースを指定した場合、ニュース番組に関する静止画が順次表示されるため、使用者は、最新のニュースを自動的に入手することができる。
【００６５】
更にまた、記憶部８は複数の静止画データを記憶し、複数の静止画データに基づいて、静止画を順次表示するため、画面の焼き付きを抑制することが可能になる。なお、厳密には、残留ＤＣ成分による電圧保持率の低下に依存する現象を抑制することが可能である。
【００６６】
なお、実施の形態１では、放送信号を受信する受信手段の一例として、テレビジョン放送信号を受信するチューナ部を例示したが、ＩＰ（Internet Protocol）ネットワークを介して外部のサーバコンピュータから配信される放送信号を受信するように構成しても良い。
【００６７】
また、静止画データの作成及び記憶に係る処理と、静止画データの表示に係る処理とを一例の処理として説明したが、言うまでもなく、各処理を独立の処理として構成しても良い。
【００６８】
更に、番組のビデオデータに基づいて作成した静止画データのみを用いて静止画を表示する必要は無く、ＵＳＢメモリ等に使用者が記録した静止画データを読み込んで、表示する構成を併用しても良い。
【００６９】
（実施の形態２）
図９は、本発明の実施の形態２に係る映像表示装置の構成を示す模式図である。実施の形態２に係る映像表示装置は、映像出力装置２０１と、通信線２０３を介して映像出力装置２０１に接続された映像表示ユニット２０２と、遠隔操作装置１５とを含む。実施の形態２に係る映像表示装置は、映像出力装置２０１と、映像表示ユニット２０２とが別体で構成されている点が、実施の形態１に係る映像表示装置と異なるため、以下では主に上記相異点について説明する。
映像出力装置２０１は、壁２０４に突設されたラック２４１上に載置されている。なお、映像出力装置２０１はラック２４１上に載置する他、床に設置されるラック上に載置しても良く、また、壁２０４の凹部に正面を露出させて埋設するようにしても良い。
映像表示ユニット２０２は、壁２０４にボルト等により取り付け、又は壁２０４の凹部に表示面を露出させて埋設されている。以下では、映像表示ユニット２０２が壁２０４に取り付けられている例を用いて説明する。
映像出力装置２０１及び映像表示ユニット２０２は通信線２０３を介して接続されており、ビデオデータ、音声データ、静止画データ、度数分布、その他各種制御データを送受信する。通信線２０３は、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠したＨＤＭＩケーブルであり、映像データ及び音声データを送受信するためのＴＭＤＳチャンネルと、各種制御情報を送受信するためのＣＥＣチャンネルとを含み構成されている。なお、ＨＤＭＩケーブルは通信線２０３の一例であり、他の規格に基づくケーブルの他、６０ＧＨｚ帯のミリ波を利用した無線通信によりビデオデータ、音声データ、静止画データ、度数分布、その他各種制御データを送受信するようにしても良い。
【００７０】
図１０は、映像出力装置２０１の構成を示すブロック図である。映像出力装置２０１は、いわゆるセット・トップ・ボックスであり、実施の形態１に係る映像表示装置と同様の、チューナ部１、復調部２、分離部３、ビデオデコーダ４、ＥＰＧデコーダ５、音声デコーダ６、第１信号処理部２０７、第１記憶部２０８、チューナ電源部１１、主電源部１２、電源処理部１３、第１制御部２１４、第１遠隔操作信号受信部２１６、計時部１７を備える。なお、第１信号処理部２０７、第１記憶部２０８、第１制御部２１４、第１遠隔操作信号受信部２１６は、映像表示ユニット２０２が備える同様の各構成部と区別するために実施の形態１における信号処理部７、記憶部８、制御部１４、遠隔操作信号受信部１６と異なる名称及び符号を有している。また、映像出力装置２０１は、映像表示ユニット２０２との間で、ＨＤＭＩ規格に基づきビデオデータ、音声データ、静止画データ、度数分布等の各種情報の送信を行う第１ＨＤＭＩ通信部２１９を備える。 
映像出力装置２０１の第１制御部２１４は、実施の形態１と同様、使用者が所望する静止画のジャンル指定に係る処理を実行する。処理手順は、図２に示したフローチャートと同様である。また、第１制御部２１４は、実施の形態１と同様、静止画データの作成に係る処理を実行する。但し、図５に示すステップＳ２８及びステップＳ２９の処理、つまり静止画表示に係る処理は実行しない。そして、第１制御部２１４は、映像出力装置２０１及び映像表示ユニット２０２の双方が起動している場合、第１記憶部２０８に蓄積された静止画データ及び度数分布を、第１ＨＤＭＩ通信部２１９及び通信線２０３を介して映像表示ユニット２０２へ送信する処理を実行する。また、第１制御部２１４は、静止画表示モードへの移行指示を遠隔操作装置１５にて受け付けた場合、チューナ電源部１１及び主電源部１２の動作を停止させる。もちろん、第１制御部２１４は、遠隔操作装置１５にて受け付けた場合、チューナ電源部１１及び主電源部１２を動作させる。映像出力装置２０１は、ビデオデータ及び音声データを、映像表示ユニット２０２へ送信し、番組の映像を表示させる。
【００７１】
図１１は、映像表示ユニット２０２の構成を示すブロック図である。映像表示ユニット２０２は、実施の形態１に係る映像表示装置と同様の第２信号処理部２２１、第２記憶部２２２、表示部２２３、スピーカ２２４、第２遠隔操作信号受信部２２５、第２制御部２２６、バックライト輝度制御テーブル２２７を備える。また、映像表示ユニット２０２は、映像出力装置２０１から送信されたビデオデータ、音声データ、静止画データ、度数分布等の各種情報を、ＨＤＭＩ規格に基づき受信する第２ＨＤＭＩ通信部２２０を備える。なお、第２信号処理部２２１は、ＥＰＧ処理部２０７ａ、静止画データ作成部２０７ｂ、度数分布作成部２０７ｃが有する機能は有していない。
【００７２】
映像表示ユニット２０２の第２制御部２２６は、映像出力装置２０１から送信された静止画データ及び度数分布を、第２ＨＤＭＩ通信部２２０を介して受信し、受信した静止画データ及び度数分布を第２記憶部２２２に記憶させる。そして、第２制御部２２６は、いわゆるスタンバイ状態にあり、静止画表示モードに移行した場合、第２記憶部２２２に蓄積された静止画データを読み出して、表示部２２３に表示させる。また、実施の形態１と同様、バックライト２２３ｂの輝度制御に係る処理を実行する。該処理の手順は、図７に示したフローチャートと同様である。
【００７３】
実施の形態２に係る映像表示装置は、実施の形態１と同様の効果を奏する。また、特に、実施の形態２における静止画表示モードでは、映像出力装置２０１側のＥＰＧ処理部２０７ａ、静止画データ作成部２０７ｂ、度数分布作成部２０７ｃに対する給電も停止させるように構成されているため、静止画表示モードにおけるより効果的な省電力を図ることができる。
【００７４】
なお、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【００７５】
【図１】本発明の実施の形態１に係る映像表示装置の構成を示すブロック図である。
【図２】使用者が所望する静止画のジャンル指定に係る制御部の処理手順を示すフローチャートである。
【図３】静止画データの作成に係る制御部の処理手順を示すフローチャートである。
【図４】静止画データの作成に係る制御部の処理手順を示すフローチャートである。
【図５】静止画データの作成に係る制御部の処理手順を示すフローチャートである。
【図６】静止画を構成する各画素の輝度の度数分布である。
【図７】バックライトの輝度制御に係る制御部の処理手順を示すフローチャートである。
【図８】平均輝度及び輝度差によるバックライト輝度制御方法を示す図表である。
【図９】本発明の実施の形態２に係る映像表示装置の構成を示す模式図である。
【図１０】映像出力装置の構成を示すブロック図である。
【図１１】映像表示ユニットの構成を示すブロック図である。
【符号の説明】
【００７６】
１  チューナ部（受信手段）
２  復調部
３  分離部
４  ビデオデコーダ
５  ＥＰＧデコーダ
６  音声デコーダ
７  信号処理部
７ａ  ＥＰＧ処理部
７ｂ  静止画データ作成部（静止画データ作成手段）
７ｃ  度数分布作成部（度数分布作成手段）
８  記憶部（記憶手段）
９  表示部（表示手段）
９ａ  映像表示パネル
９ｂ  バックライト
１０  スピーカ
１１  チューナ電源部（電源手段）
１２  主電源部
１３  電源処理部
１４  制御部
１５  遠隔操作装置
１６  遠隔操作信号受信部
１７  計時部
１８  バックライト輝度制御テーブル
Ａ  アンテナ
【図１】
2010136197.tif 000003
【図２】
2010136197.tif 000004
【図３】
2010136197.tif 000005
【図４】
2010136197.tif 000006
【図５】
2010136197.tif 000007
【図６】
2010136197.tif 000008
【図７】
2010136197.tif 000009
【図８】
2010136197.tif 000010
【図９】
2010136197.tif 000011
【図１０】
2010136197.tif 000012
【図１１】
2010136197.tif 000013